【事件の表示】
　特願２０００−　３６９６２「遊技機」拒絶査定不服審判事件〔平成１３年　８月２１日出願公開、特開２００１−２２４７７７〕について、次のとおり審決する。
【結　論】
　本件審判の請求は、成り立たない。
【理　由】
第一．手続の経緯　
　本願は、平成１２年２月１５日の出願であって、拒絶理由通知に対応して平成２０年１月３０日に手続補正書が提出され、その後なされた拒絶査定に対し、平成２０年４月２５日に拒絶査定不服審判が請求されるとともに、平成２０年５月２３日に手続補正がなされたものである。　
　また、当審において、平成２１年３月９日付けで審査官による前置報告書の内容を添付して審尋を行ったが、請求人から応答がなかった。　
　　
第二．平成２０年５月２３日付の手続補正書についての補正却下の決定　
　　
［補正却下の決定の結論］　
　　平成２０年５月２３日付の手続補正を却下する。　
　　
［理由］　
１．補正後の本願発明　
　本件補正により、特許請求の範囲の請求項１（以下「本願補正発明」という。）は以下のように補正された。　
「複数の変動表示領域を有する変動表示装置と、該変動表示装置の変動表示領域の各々で複数の識別情報を回転させながら所定の順序に従って変動表示させる変動表示遊技を行うとともに、当該変動表示遊技の演出効果を高める背景画像表示を行う表示制御手段と、を備え、
　前記変動表示遊技の結果、前記変動表示装置に表示される識別情報の停止態様が特定の組み合わせ態様を導出したときに、遊技者に対し特典を付与可能とした遊技機において、
　前記識別情報の背面にベース部を介在させて回転表示体を構成し、
　前記ベース部を、前記識別情報の外周を縁取るように該識別情報の外周側に膨らむように突出した外形形状で所定の厚みを有する立体形状とするとともに、前記識別情報を、厚みを有する立体形状とするものとし、
　前記表示制御手段は、
　前記回転表示体を回転させる過程で、前記識別情報が真正面向きの状態にある回転表示体が、裏返る方向に略９０度回転して前記識別情報の内容が認識不能な状態となったときに、当該識別情報を次の識別情報に切り替えるとともに、前記ベース部の外形形状を該切り替えられた識別情報に対応する外形形状に切り替え
、該切り替えられた識別情報の形状に閉じた領域がある場合には前記背景画像表示が視認可能となるように該閉じた領域に対応するようにベース部の内側にも閉じた領域を形成する
（下線部は補正によって変更又は追加された箇所）　
　
２．補正要件（目的）の検討　
　請求項１についての補正は、発明を特定するために必要な事項である「表示制御手段」に「該切り替えられた識別情報の形状に閉じた領域がある場合には背景画像表示が視認可能となるように該閉じた領域に対応するようにベース部の内側にも閉じた領域を形成する」という機能を付加（下位概念化）したものであるから、請求の範囲の減縮を目的とする補正に相当する。　
　　
　したがって、本件補正は、平成１８年法律第５５号による改正前の特許法（以下「改正前特許法」という。）第１７条の２第４項第２号に該当する。　
　　
３．補正要件（独立特許要件：特許法第２９条第２項）の検討　
（１）引用刊行物記載事項　
　原査定の拒絶の理由に引用された、特開平８―２４３２２８号公報（以下「引用文献１」という。）には、図面とともに、
【００２９】・・・また、マイクロコンピュータ６９は、第２制御基盤２２と、表示画像記憶手段としての表示用マイクロコンピュータ７４及び液晶パネル駆動回路７５とから構成された画像表示制御手段としての画像表示制御基盤７６と、も接続されている。
【００３０】・・・表示用マイクロコンピュータ７４は、第１制御基盤２１のマイクロコンピュータ６９の指示にしたがって、予め記憶された表示画像データに基づいて表示画像を作成し、液晶パネル駆動回路７５を介して液晶パネル６４に画像を表示するようになっている。
【００３１】次に、液晶パネル６４に表示される表示画像の制御について、図５乃至図８を参照して詳細に説明する。図５及び図６は、液晶パネル６４に表示された識別情報８０の可変表示態様を示している。液晶パネル６４には、背景部７７と、該背景部７７を縦方向に三等分する区画部７８と、各区画内に回転表示される仮想回転板８１と、が表示されている。仮想回転板８１の表裏の平面部は、上・中・下の３コマの識別情報８０が表示される識別情報表示部７９を構成しており、画面全体では９コマの識別情報８０によって組合せゲームを行うことができるようになっている。
【００３３】上述の説明から理解できるように、本実施例では、平面的な液晶パネル６４上で２次元の画像を次々と切り換え表示することにより、仮想回転板８１があたかも立体的な回転をしているかのように見せかけている。・・・
【００３４】まず、図５の画像（Ａ）を基準としてみると、画像（Ｂ）〜（Ｄ）の各仮想回転板８１は、順に横幅が狭くなってゆくように表示されている。画像（Ｅ）の仮想回転板８１は、真横を向いた状態で側面のみが表示されている。従って、識別情報８０を視認することはできない。・・・
【００３６】・・・次に、仮想回転板８１が回転することによって、識別情報８０が変更される例について、図７及び図８を参照して説明する。図７を見て理解できるように、この例では、識別情報８０として０〜９までの数字を使用している。なお、０〜９以外の数字、図形、キャラクター、記号、文字等を使用してもよい。また、各仮想回転板８１上の識別情報８０は、上から下へ順に数字が小さくなるように、且つ連続した並びで表示されるようになっており、各仮想回転板８１の回転に伴う識別情報８０の変更時には、識別情報８０が上から下へと順に１コマ分だけずれて表示されるようになっている。なお、上記のように１コマ分だけずれて表示させるのではなく、２コマ或いは３コマのように複数コマ分ずつずれて表示されるようにしてもよいし、又は、半コマ分ずつずれて表示されるように、複数サイクルの切り換え表示を行うことにより１コマ分ずれるようにしてもよい。
【００３７】具体的に、本実施例の場合には、図７の画像（ａ）の左列の仮想回転板８１を例にすると、識別情報８０は上から下へ「２・１・０」の順に表示されている。そして、前記仮想回転板８１の回転に伴って識別情報８０が変更されると「３・２・１」の順に表示される。以後、仮想回転板８１が回転される毎に識別情報８０は、上から下へと１コマ分だけずれた「４・３・２」、「５・４・３」、「６・５・４」・・・・「１・０・９」が次々と切り換え変更されて表示される。そして、「１・０・９」の表示で切り換え変更が一巡したことになり、次は元の「２・１・０」が表示されることになる。
【００３８】識別情報８０の変更タイミングは、図８の画像（ｅ）から画像（ｆ）に切り換え表示されるときに、つまり、仮想回転板８１が９０度の回転をした状態から、さらに回転を続けた状態を表示した画像（ｆ）に切り換えられるときに変更されるようになっており、前記画像（ｆ）が表示されたときは既に識別情報８０の変更は終了している。従って、従来タイプのスクロール表示のように、識別情報が移動されつつ変更されるのとは違って、一瞬にして識別情報が変更されるという全く新しい可変表示態様を遊技者に提供することができる。・・・
【００４２】表示画面の仮想回転板８１の回転が停止終了したことにより、識別情報８０の組合せが確定し、その識別情報８０の組合せ結果に基づいた遊技内容が実行される。つまり、大当たりの組合せで回転が停止終了した場合は特別遊技が実行され、その他の組合せで回転が停止終了した場合は通常の遊技が実行される。・・・
と記載されている。
　図５乃至８には、３つの識別情報表示部７９の各々で３コマの識別情報を表示した液晶パネル６４と、略長方形形状で内側に識別情報８０が表示され、所定の厚みを有する立体形状とした仮想回転板８１とが図示されており、仮想回転板８１の外形形状を変更するような切り替え表示制御は行っていないものと認められる。
　よって、摘記した上記の記載や図面等によれば、引用文献１には、　
「３つの識別情報表示部７９を有する液晶パネル６４と、該液晶パネル６４に表示される３つの仮想回転板８１の表裏の平面部は、上・中・下の３コマの識別情報８０が表示される識別情報表示部７９を構成しており、各仮想回転板８１の回転に伴う識別情報８０の変更時には、識別情報８０が上から下へと順に１コマ分だけずれて表示させるようになっており、前記液晶パネル６４には背景部７７が表示され、表示用マイクロコンピュータ７４及び液晶パネル駆動回路７５とから構成された画像表示制御手段としての画像表示制御基盤７６によって、予め記憶された表示画像データに基づいて表示画像を作成し、前記液晶パネル駆動回路７５を介して前記液晶パネル６４に画像を表示するようになっており、
　前記仮想回転板８１の回転が停止終了したことにより、識別情報８０の組合せが確定し、大当たりの組合せで回転が停止終了した場合は特別遊技が実行されるパチンコ機Ｐにおいて、
　前記仮想回転板８１を略長方形形状で内側に識別情報８０が表示され、所定の厚みを有する立体形状とし、
　前記画像表示制御手段による、識別情報８０の変更タイミングは、前記仮想回転板８１が９０度の回転をした状態から、さらに回転を続けた状態を表示した画像（ｆ）に切り換えられるときに変更されるようになっており、前記画像（ｆ）が表示されたときは既に識別情報８０の変更が終了しており、
前記仮想回転板８１の外形形状を変更するような切り替え表示制御を行わないパチンコ機Ｐ。」
の発明（以下「引用発明」という。）が開示されていると認められる。　
　
（２）引用発明と本願補正発明との対比　
　そこで、本願補正発明と引用発明とを比較すると、　
引用発明の「３つの識別情報表示部７９」は、本願補正発明の「複数の変動表示領域」に相当し、以下同様に、　
「液晶パネル６４」は「変動表示装置」に、　
「識別情報８０」は「識別情報」に、
「前記仮想回転板８１の回転が停止終了したこと」は「前記変動表示遊技の結果」に、
「識別情報８０の組合せが確定し、大当たりの組合せで回転が停止終了した場合」は「前記変動表示装置に表示される識別情報の停止態様が特定の組み合わせ態様を導出したときに」に、
「特別遊技が実行される」は「特典を付与可能」に、　
「パチンコ機Ｐ」は「遊技機」に、
「仮想回転板８１」は「ベース部」に、
各々相当する。　
　さらに、引用文献１の記載等からみて、以下のことが言える。　
ａ．引用発明の「液晶パネル６４にある仮想回転板８１の表裏の平面部には、上・中・下の３コマの識別情報８０が表示される識別情報表示部７９を構成しており、各仮想回転板８１の回転に伴う識別情報８０の変更時には、識別情報８０が上から下へと順に１コマ分だけずれて表示させるようになっており」について、上記記載及び図７、図８から、「仮想回転板８１」の回転に伴って、「識別情報表示部７９」の各々で３コマの識別情報８０が回転し、それぞれのコマの数字が１つずつ大きく（ただし、９の場合は０となる）なるように変動表示されていることから、引用発明と、本願補正発明は、「該変動表示装置の変動表示領域の各々で複数の識別情報を回転させながら所定の順序に従って変動表示させる変動表示遊技を行う」点で一致している。
ｂ．引用発明の「画像表示制御基盤７６」について、「液晶パネル６４」に表示を行う場合には、「画像表示制御基盤７６」を介して行われるものであり、「画像表示制御基盤７６」には、予め記憶された表示画像データに基づいて作成される表示画像を作成する表示用マイクロコンピュータを有していることから、「仮想回転板８１」の回転表示や「識別情報８０」の切り替え表示等の一切の表示制御については「画像表示制御基盤７６」が行っており、上記「ａ．」で検討した点を踏まえれば、本願補正発明の「当該変動表示遊技の演出効果を高める背景画像表示を行う」点は別として、引用発明と、本願発明とは、「該変動表示装置の変動表示領域の各々で複数の識別情報を回転させながら所定の順序に従って変動表示させる変動表示遊技を行う表示制御手段」で一致している。
ｃ．本願補正発明の「前記識別情報の背面にベース部を介在させて回転表示体を構成し」について、引用文献１の「仮想回転板８１の表裏の平面部は、上・中・下の３コマの識別情報８０が表示される」（段落【００３１】）との記載、及び、引用文献１の「前記仮想回転板８１の回転に伴って識別情報８０が変更されると「３・２・１」の順に表示される。」（段落【００３７】）との記載から、引用文献１の「仮想回転板８１」は、「識別情報８０」が表示された回転する表示体であるといえるから、引用発明と、本願補正発明とは、「前記識別情報の背面にベース部を介在させて回転表示体を構成」する点で一致する。
ｄ．引用発明の「仮想回転板８１を略長方形形状で内側に識別情報８０が表示され、所定の厚みを有する立体形状とし」について、「仮想回転板８１」の内側に「識別情報８０」が表示されているのであるから、「識別情報８０」からしてみれば、「仮想回転板８１」は、「識別情報８０」の外周側に膨らむように突出した外形形状であるものといえる。
ｅ．引用発明の「前記画像表示制御手段による、識別情報８０の変更タイミングは、仮想回転板８１が９０度の回転をした状態から、さらに回転を続けた状態を表示した画像（ｆ）に切り換えられるときに変更されるようになっており、前記画像（ｆ）が表示されたときは既に識別情報８０の変更が終了しており」について、引用文献１の図８（ｅ）には、識別情報８０が記載されておらず、「画像（Ｅ）の仮想回転板８１は、真横を向いた状態で側面のみが表示されている。従って、識別情報８０を視認することはできない。」（段落【００３４】）との記載からみても、図８（ｅ）において、仮想回転板８１が真横を向いた状態では、識別情報８０が視認できないように設計されているものと認められる。さらに、引用発明の「識別情報８０の変更タイミングは、仮想回転板８１が９０度の回転をした状態から、さらに回転を続けた状態を表示した画像（ｆ）に切り換えられるときに変更される」との記載は、仮想回転板８１が真横を向いた状態で、識別情報８０の識別情報を変更しているものと認められる。よって、引用発明には、本願補正発明の「前記回転表示体を回転させる過程で、前記識別情報が真正面向きの状態にある回転表示体が、裏返る方向に略９０度回転して前記識別情報の内容が認識不能な状態となったときに、当該識別情報を次の識別情報に切り替える」に実質的に相当する構成を有する。
　
　以上を総合すると、両者は、　
「複数の変動表示領域を有する変動表示装置と、該変動表示装置の変動表示領域の各々で複数の識別情報を回転させながら所定の順序に従って変動表示させる変動表示遊技を行う表示制御手段と、を
備え、
　前記変動表示遊技の結果、前記変動表示装置に表示される識別情報の停止態様が特定の組み合わせ態様を導出したときに、遊技者に対し特典を付与可能とした遊技機において、前記識別情報の背面にベース部を介在させて回転表示体を構成し、前記ベース部を、該識別情報の外周側に膨らむように突出した外形形状で所定の厚みを有する立体形状とし、
　前記表示制御手段は、前記回転表示体を回転させる過程で、前記識別情報が真正面向きの状態にある回転表示体が、裏返る方向に略９０度回転して前記識別情報の内容が認識不能な状態となったときに、当該識別情報を次の識別情報に切り替え、表示制御を行う遊技機。」の点で一致し、以下の点で相違している。　
　
［相違点１］
　本願補正発明では、「表示制御手段」が、「当該変動表示遊技の演出効果を高める背景画像表示を行う」のに対し、引用発明では、「画像表示制御基盤７６」が、「背景部７７」（本願補正発明の「背景画像表示」に相当する。）で、変動表示遊技の演出効果を高める表示を行っているか否かが不明な点
［相違点２］
「ベース部」の外形形状を、本願補正発明では、「識別情報の外周を縁取るよう」な外形形状であるのに対し、引用発明では、「仮想回転板８１」が、識別情報８０の外周を縁取る形状となっていない点
［相違点３］
本願補正発明は、「前記識別情報を、厚みを有する立体形状とするもの」であるのに対し、引用発明では、「識別情報８０」が立体形状とはなっていない点
［相違点４］
　本願補正発明では、「前記ベース部の外形形状を該切り替えられた識別情報に対応する外形形状に切り替え」る表示制御を行うのに対し、引用発明では「仮想回転板８１」（本願補正発明の「ベース部」に相当する。）の外形形状を変更するような切り替え表示制御を行わない点
［相違点５］
　本願補正発明では、「該切り替えられた識別情報の形状に閉じた領域がある場合には前記背景画像表示が視認可能となるように該閉じた領域に対応するようにベース部の内側にも閉じた領域を形成する」表示制御を行うのに対し、引用発明では、このような制御を行っていない点
　
（３）相違点の検討及び判断
［相違点１について］
　変動表示遊技の演出効果を高める背景画像表示を行う技術は、遊技機の技術分野において、普通に行われている周知の技術（以下「周知技術１」という。）であり、遊技機の分野における通常の知識を有する者（以下「当業者」という。）であれば、引用発明の「背景部７７」に周知技術１を適用することに、何ら格別な困難性はない。
［相違点２、４について］　
　相違点２、４は、関連するのであわせて検討する。
　遊技機の変動表示装置に表示される識別情報の外周を縁取るように該識別情報の外周側に膨らむように突出した外形形状で所定の厚みを有する立体形状を設けることは、特開平８―１３１６２７号公報（特に、図２０〜図２３参照。）に記載されているように、周知の技術（以下「周知技術２」という。）である。
　よって、引用発明の「仮想回転板８１」に上記周知技術２を適用し、「仮想回転板８１」の形状を、「識別情報８０」の外周を縁取るように該識別情報の外周側に膨らむように突出した外形形状で所定の厚みを有する立体形状に改変することは、当業者にとって適宜実施しうる設計事項にすぎない。
　また、そのように改変すれば、引用発明の識別情報を次の識別情報に切り替える際に、「仮想回転板８１」の形状を次の識別情報に対応する外形形状に切り替えるように構成することは、当然行われることである。
［相違点３について］　
　遊技機の変動表示装置に表示される識別情報を、厚みを有する立体形状とすることは、特開平８―３３２２６４号公報（特に、図４、図５参照。）、特開平８―３０９００３号公報（特に、図３〜図６参照。）に記載されているように周知の技術（以下「周知技術３」という。）である。
　よって、引用発明の「識別情報８０」に上記周知技術３を適用することは、当業者にとって格別な困難性はない。
［相違点５について］
　識別情報の形状に閉じた領域がある場合には背景画像表示を閉じた領域から視認可能となるように、識別情報を表示することは、特開２０００―３３１４６号公報（特に、図９〜１２、図１８参照。）、特開平８―２９９５４９号公報（特に、図７〜１０参照。）に記載されているように、周知の技術（以下「周知技術４」という。）である。
　よって、引用発明の「識別情報８０」及び「仮想回転板８１」に適用して、識別情報の閉じた領域から背景画像を視認可能となるように、「識別情報８０」の閉じた領域に対応する「仮想回転板８１」の内側に、閉じた領域を形成して、背景部７７を表示制御することは、当業者にとって容易に想到しうることである。
　
　さらに、本願補正発明の作用効果も、引用発明、周知技術１乃至４に基づき、当業者が予測できる範囲のものである。　
　
　したがって、本願補正発明は、引用発明、周知技術１乃至４に基づいて、当業者が容易に発明をすることができたものであるから、特許法第２９条第２項の規定により特許出願の際独立して特許を受けることができないものである。　
　
４．むすび　
　以上のとおりであるので、本件補正は、改正前特許法第１７条の２第５項において準用する同法第１２６条第５項の規定に違反し、同法第１５９条第１項において読み替えて準用する同法５３条第１項の規定により却下されるべきものである。　
　
第三．本願発明について　
１．本願発明　
　平成２０年５月２３日付の手続補正書は上記のとおり却下されたので、本願の請求項１に係る発明（以下「本願発明」という。）は、平成２０年１月３０日付手続補正書の特許請求の範囲の請求項１に記載された事項により特定される。以下のとおりのものである。
「複数の変動表示領域を有する変動表示装置と、該変動表示装置の変動表示領域の各々で複数の識別情報を回転させながら所定の順序に従って変動表示させる変動表示遊技を行うとともに、当該変動表示遊技の演出効果を高める背景画像表示を行う表示制御手段と、を備え、
　前記変動表示遊技の結果、前記変動表示装置に表示される識別情報の停止態様が特定の組み合わせ態様を導出したときに、遊技者に対し特典を付与可能とした遊技機において、
　前記識別情報の背面にベース部を介在させて回転表示体を構成し、
　前記ベース部を、前記識別情報の外周を縁取るように該識別情報の外周側に膨らむように突出した外形形状で所定の厚みを有する立体形状とするとともに、前記識別情報を、厚みを有する立体形状とするものとし、
　前記表示制御手段は、
　前記回転表示体を回転させる過程で、前記識別情報が真正面向きの状態にある回転表示体が、裏返る方向に略９０度回転して前記識別情報の内容が認識不能な状態となったときに、当該識別情報を次の識別情報に切り替えるとともに、前記ベース部の外形形状を該切り替えられた識別情報に対応する外形形状に切り替える表示制御を行うことを特徴とする遊技機。」　
　
２．特許法第２９条第２項の検討　
（１）引用刊行物記載事項　
　原査定の拒絶の理由に引用された引用文献１及び記載事項は、前記「第二．３．（１）」に記載したとおりである。　
　
（２）引用発明と本願発明との対比　
　本願発明は、前記「第二」で検討した本願補正発明の「表示制御手段」の機能について、「該切り替えられた識別情報の形状に閉じた領域がある場合には前記背景画像表示が視認可能となるように該閉じた領域に対応するようにベース部の内側にも閉じた領域を形成する」の限定がなくなり、本願補正発明の「表示制御手段」を上位概念化するものである。
　そうすると、本願発明の構成要件の一部を下位概念化した本願補正発明が、前記「第二．３．（３）」に記載したとおり、引用発明、及び、周知技術１乃至４に基づいて、当業者が容易に発明をすることができたものであるから、本願発明も、同様の理由により、引用発明、及び、周知技術１乃至４に基づいて、当業者が容易に発明をすることができたものである。　
　
（３）まとめ　
　以上のとおり、本願発明は、引用発明、及び、周知技術１乃至４に基づいて、当業者が容易に発明をすることができたものであるから、特許法第２９条第２項の規定により特許を受けることができない。　
　
３．むすび　
　本願発明は、特許法第２９条第２項の規定により特許を受けることができないから、本願は拒絶すべきものである。　
　
　よって、結論のとおり審決する。